(57)【特許請求の範囲】
【請求項１】
送信期間と受信期間とが繰返し現れるＴＤＭＡ（Time Division Multiple Access）方式により無線通信を行う通信装置であって、
送信のための所定の信号処理を行う送信部と、
受信のための所定の信号処理を行う受信部と、
前記送信部及び前記受信部に接続されこれらに共用されるが、変調と復調とを同時に行わない変復調部と、
前記送信部の出力と前記受信部の入力とを接続可能なスイッチと、
前記送信部から前記スイッチを介して前記受信部に入力され当該受信部から出力される信号を検波し、当該信号のレベルを検出する第１検波部と、
前記第１検波部での検出レベルと所定の基準値との第１比較結果に基づいて異常を判定する判定部と
を備える通信装置。
【請求項２】
請求項１に記載の通信装置であって、
前記送信部から前記スイッチに入力される信号を検波し、当該信号のレベルを検出する第２検波部をさらに備え、
前記判定部は、
前記第２検波部での検出レベルと所定の基準値との第２比較結果と、前記第１比較結果とに基づいて、前記送信部及び前記受信部のいずれに異常があるかを判定する、通信装置。
【請求項３】
請求項１または請求項２に記載の通信装置であって、
前記送信部は、
前記送信部に入力された信号に第１信号を乗算する第１混合器を備え、
前記受信部は、
前記受信部に入力された信号に第２信号を乗算する第２混合器と、
前記第２混合器で乗算された信号から所望の信号を取り出すフィルタとを備え、
前記第１信号の周波数と前記第２信号の周波数とが互いに近接するように、前記第１及び第２信号の少なくともいずれか一方の周波数を変更する周波数変更部をさらに備え、
前記判定部は、
前記第１信号の周波数及び前記第２信号の周波数が互いに一致された際の前記第１検波部での検出レベルと、前記第１信号の周波数及び前記第２信号の周波数が互いに近接された際の前記第１検波部での検出レベルとの比と、所定の基準値との比較結果に基づいて前記フィルタの異常を検出する、通信装置。
【発明の詳細な説明】
【技術分野】
【０００１】
本発明は、ＴＤＭＡ（Time Division Multiple Access）方式により無線通信を行う通信装置であって、特に折り返し試験機能を有する通信装置に関するものである。
【背景技術】
【０００２】
無線通信を行う通信装置において、送信回路から受信回路に入力された信号を復調することにより、送信回路及び受信回路の基本特性に異常がないかを調べる折り返し試験を行うものがある。特許文献１には、折り返し試験を行う技術が開示されている。
【先行技術文献】
【特許文献】
【０００３】
【特許文献１】特開平６−１５２４６１号公報
【発明の概要】
【発明が解決しようとする課題】
【０００４】
このような折り返し試験を、送信期間と受信期間とが繰返し現れるＴＤＭＡ方式の無線通信を行う通信装置においても適用することが提案されている。このＴＤＭＡ方式の無線通信においては送信スロットと受信スロットとが時間的に分かれていること、そして、特に移動局等の受信端末では端末の小型化・コスト低減が求められていることから、一つの通信装置に一つのＤＳＰ（Digital Signal Processor）が用いられることが多い。しかし、一つのＤＳＰでは変調と復調とを同時に行うことができないため、一つのＤＳＰを有するＴＤＭＡ方式の通信装置においては、折り返し試験を実施することができなかった。
【０００５】
そこで、本発明は、上記のような問題点を鑑みてなされたものであり、一つのＤＳＰなどの変復調部を有するＴＤＭＡ方式の通信装置において、折り返し試験を実施することが可能な技術を提供することを目的とする。
【課題を解決するための手段】
【０００６】
本発明に係る通信装置は、送信期間と受信期間とが繰返し現れるＴＤＭＡ（Time Division Multiple Access）方式により無線通信を行う通信装置であって、送信のための所定の信号処理を行う送信部と、受信のための所定の信号処理を行う受信部と、送信部及び受信部に接続されこれらに共用されるが、変調と復調とを同時に行わない変復調部とを備える。そして、送信部の出力と受信部の入力とを接続可能なスイッチと、送信部からスイッチを介して受信部に入力され当該受信部から出力される信号を検波し、当該信号のレベルを検出する第１検波部とを備える。そして、第１検波部での検出レベルと所定の基準値との第１比較結果に基づいて異常を判定する判定部を備える。
【発明の効果】
【０００７】
本発明によれば、折り返し試験の際に、変復調部が信号を復調しなくても、判定部において異常を検出することができる。したがって、変復調部、例えば、ＤＳＰの数が一つであっても、折り返し試験を行うことができる。
【図面の簡単な説明】
【０００８】
【図１】対比対象通信装置の構成を示すブロック図である。
【図２】実施の形態１に係る通信装置の構成を示すブロック図である。
【図３】実施の形態１に係る通信装置の動作を示すフローチャートである。
【図４】実施の形態２に係る通信装置の構成を示すブロック図である。
【図５】実施の形態２に係る通信装置の動作を示すフローチャートである。
【図６】実施の形態２に係る通信装置の動作結果を示す図である。
【発明を実施するための形態】
【０００９】
＜実施の形態１＞
まず、本発明に係る通信装置について説明する前に、それと対比される通信装置（以下、「対比対象通信装置」と呼ぶ）について説明する。図１は、対比対象通信装置の構成を示すブロック図である。対比対象通信装置は、Ｄ／Ａ変換器２と、アンテナスイッチ８と、アンテナ９と、スイッチ１０と、Ａ／Ｄ変換器１６と、減衰器１８（アッテネータ）と、破線で示される送信回路４１と、破線で示される受信回路４２と、変調部８１と、復調部８２とを備える。
【００１０】
この対比対象通信装置は、通信相手装置に対して送信信号を送信する期間（送信スロット）と、通信相手装置からの受信信号を受信する期間（受信スロット）とが繰り返されるＴＤＭＡ（Time Division Multiple Access）方式の無線通信を行う。そして、この対比対象通信装置は、変調部８１から送信回路４１を通過させてアンテナ９の手前で折り返した信号を、受信回路４２を通過させて復調部８２において復調することにより、送信回路４１及び受信回路４２の異常を検出する折り返し試験を行うことが可能となっている。以下、このような対比対象通信装置の構成について簡単に説明する。
【００１１】
変調部８１は、送信しようとするデータに基づいて搬送波（キャリア）を変調することによりデジタル信号を生成し、生成したデジタル信号をＤ／Ａ変換器２に出力する。本実施の形態では、Ｉ成分及びＱ成分のそれぞれについてデジタル信号が生成される。Ｄ／Ａ変換器２は、変調部８１からのデジタル信号をアナログ信号に変換し、送信回路４１に出力する。
【００１２】
送信回路４１は、送信のための所定の信号処理を行う送信部であり、直交変調器３と、送信ＩＦ増幅器４と、混合器５と、送信局部発振器６と、送信ＲＦ増幅器７とを備える。本実施の形態に係る送信回路４１は、送信のための所定の信号処理を、Ｄ／Ａ変換器２からのアナログ信号に行い、それによって得られたアナログ信号をアンテナスイッチ８及び減衰器１８に出力する。
【００１３】
受信回路４２は、受信のための所定の信号処理を行う受信部であり、受信ＲＦ増幅器１１と、混合器１２と、受信局部発振器１３と、受信ＩＦ増幅器１４と、バンドパスフィルタ１５とを備える。本実施の形態に係る受信回路４２は、受信のための所定の信号処理を、自身に入力されたアナログ信号に行い、それによって得られたアナログ信号をＡ／Ｄ変換器１６に出力する。
【００１４】
Ａ／Ｄ変換器１６は、受信回路４２からのアナログ信号をデジタル信号に変換し、復調部８２に出力する。復調部８２は、Ａ／Ｄ変換器１６からのデジタル信号を復調することにより、当該デジタル信号に含まれるデータを取得する。
【００１５】
アンテナスイッチ８は、アンテナ９に対して、送信回路４１及びスイッチ１０のいずれか一方を選択的に接続する。スイッチ１０は、受信ＲＦ増幅器１１に対して、アンテナスイッチ８及び減衰器１８のいずれか一方を選択的に接続する。減衰器１８は、送信回路４１の送信ＲＦ増幅器７と接続されているため、スイッチ１０は、実質的に、送信回路４１の出力と受信回路４２の入力とを接続可能となっている。
【００１６】
次に、以上の構成からなる対比対象通信装置が、通信相手装置とＴＤＭＡ方式の無線通信を行う際の動作について説明する。この場合には、スイッチ１０により、アンテナスイッチ８と受信ＲＦ増幅器１１との間が継続的に接続される。そして、アンテナスイッチ８により、アンテナ９と送信回路４１との間の接続、及び、アンテナ９とスイッチ１０との間の接続が交互に行われる。以上のようなアンテナスイッチ８及びスイッチ１０の接続により、アンテナ９と送信回路４１との間の接続、及び、アンテナ９と受信回路４２との間の接続が繰り返して行われることになる。
【００１７】
送信回路４１とアンテナ９との間が接続された場合には、送信回路４１はアンテナ９を介して送信信号を通信相手装置に送信する。一方、受信回路４２とアンテナ９との間が接続された場合には、受信回路４２はアンテナ９を介して通信相手装置からの受信信号を受信する。アンテナ９と送信回路４１との間が接続されない期間、及び、アンテナ９と受信回路４２との間が接続されない期間はいずれも非常に短いことから、対比対象通信装置と通信相手装置との間では、双方向の同時通信を擬似的に行うことができる。
【００１８】
次に、対比対象通信装置が、折り返し試験を行う際の動作について説明する。この場合には、スイッチ１０により、減衰器１８と受信ＲＦ増幅器１１との間が継続的に接続される。そして、送信回路４１の出力信号が、受信回路４２内で使用可能な中間周波信号に変換されるように、受信局部発振器１３の周波数が切替えられる。
【００１９】
以上の動作が行われると、送信回路４１の出力信号は、減衰器１８によりその振幅が減衰された状態で、スイッチ１０を介して受信回路４２に入力される。これにより、変調部８１からＤ／Ａ変換器２を介して送信回路４１に入力され当該送信回路から出力される信号が、折り返されて、減衰器１８、スイッチ１０、受信回路４２及びＡ／Ｄ変換器１６を介して復調部８２に入力されることになる。この場合に復調部８２で復調される折り返しの信号は、送信回路４１及び受信回路４２の異常の有無に応じて変化することから、対比対象通信装置では、復調部８２で復調される折り返しの信号に基づいて、送信回路４１及び受信回路４２の異常を検出することができる。
【００２０】
さて、対比対象通信装置において折り返し試験を行うためには、変調及び復調が同時に行われる必要がある。しかし、一つのＤＳＰ（Digital Signal Processor）では変調及び復調を同時に行うことができないことから、対比対象通信装置においては、変調及び復調のそれぞれに対してＤＳＰを設ける必要があった。その結果、対比対象通信装置では、小型化及びコスト低減が困難なものとなっていた。
【００２１】
そこで、本実施の形態では、一つのＤＳＰを有する通信装置であり、そのような通信装置であっても折り返し試験を行うことが可能となっている。以下、本実施の形態に係る通信装置の構成について詳細に説明する。
【００２２】
図２は、本実施の形態に係る通信装置の構成を示すブロック図である。なお、以下の本実施の形態に係る通信装置の説明において、対比対象通信装置と共通する部分については同じ符号を付すものとし、重複する説明は省略する。本実施の形態に係る通信装置の構成は、対比通信装置の構成において、変調部８１及び復調部８２をＤＳＰ１に置き換え、受信検波部４３と、判定部４４と、周波数変更部５１とを加えたものとなっている。
【００２３】
ＤＳＰ１は、送信回路４１及び受信回路４２に接続されこれらに共用される変復調部であり、データに基づいて搬送波を変調することによりデジタル信号を生成する変調部２１を機能的に有するとともに、自身に入力されたデジタル信号を復調することによりそれに含まれるデータを取得する復調部２２を機能的に有する。つまり、ＤＳＰ１は、機能ブロックとして、上述の変調部８１及び復調部８２とそれぞれ同じ変調部２１及び復調部２２を有している。ただし、変調部２１及び復調部２２は同時に動作できないものとなっている。本実施の形態に係る通信装置では、このような変調部２１及び復調部２２を有するＤＳＰ１が一つ設けられている。
【００２４】
Ｄ／Ａ変換器２は、ＤＳＰ１の変調部２１からのデジタル信号をアナログ信号に変換して直交変調器３に出力する。Ａ／Ｄ変換器１６は、バンドパスフィルタ１５からのアナログ信号をデジタル信号に変換してＤＳＰ１の復調部２２に出力する。
【００２５】
本実施の形態に係る送信回路４１は、対比対象通信装置の送信回路４１と同様に、直交変調器３から送信ＲＦ増幅器７までの各構成要素を備えており、Ｄ／Ａ変換器２からの出力信号に送信のための所定の信号処理を行い、それによって得られた信号をアンテナスイッチ８及び減衰器１８に出力する。以下、このような送信回路４１の各構成要素について説明する。
【００２６】
直交変調器３は、Ｄ／Ａ変換器２から出力されたＩ成分及びＱ成分のアナログ信号を直交変調して中間周波信号を生成し、当該中間周波信号を送信ＩＦ増幅器４に出力する。送信ＩＦ増幅器４は、直交変調器３からの中間周波信号を増幅して混合器５に出力する。
【００２７】
混合器５及び送信局部発振器６は、送信ＩＦ増幅器４から出力される中間周波信号の周波数を、より高い周波数帯域（搬送帯域）に変換する周波数変換部として機能する。具体的には、混合器５は、送信ＩＦ増幅器４からの中間周波信号と、送信局部発振器６からの信号（以下、「送信局部発振信号」と呼ぶ）とを乗算し、それによって得られた信号を出力する。そして、バンドパスフィルタ（図示しない）が、混合器５からの出力信号に対して所定のフィルタリング処理を行うことによって、当該出力信号から不要な信号を除去し、搬送帯域を有する信号を取り出す。そして、バンドパスフィルタは、取り出した当該信号を送信ＲＦ増幅器７に出力する。送信ＲＦ増幅器７は、バンドパスフィルタからの出力信号を増幅し、増幅された当該出力信号を送信回路４１の出力信号として、アンテナスイッチ８及び減衰器１８に出力する。
【００２８】
本実施の形態に係る受信回路４２は、対比対象通信装置の受信回路４２と同様に、受信ＲＦ増幅器１１からバンドパスフィルタ１５までの各構成要素を備えており、入力信号に受信のための所定の信号処理を行い、それによって得られた信号をＡ／Ｄ変換器１６に出力する。以下、このような受信回路４２の各構成要素について説明する。
【００２９】
受信ＲＦ増幅器１１は、受信回路４２の入力信号として入力される信号を増幅し、増幅された当該信号を混合器１２に出力する。混合器１２及び受信局部発振器１３は、受信ＲＦ増幅器１１から出力される信号の周波数を、より低い周波数帯域（中間周波帯域）に変換する周波数変換部として機能する。具体的には、混合器１２は、受信ＲＦ増幅器１１からの出力信号と、受信局部発振器１３からの信号（以下、「受信局部発振信号」と呼ぶ）とを乗算し、それによって得られた信号を受信ＩＦ増幅器１４に出力する。
【００３０】
受信ＩＦ増幅器１４は、混合器１２からの出力信号を増幅し、増幅された当該出力信号をバンドパスフィルタ１５に出力する。バンドパスフィルタ１５は、受信ＩＦ増幅器１４からの出力信号に対して所定のフィルタリング処理を行うことによって、当該出力信号から不要な信号を除去し、中間周波信号を取り出す。つまり、バンドパスフィルタ１５は、混合器１２での乗算により得られた信号から、中間周波信号とすべき所望の信号を取り出す。そして、バンドパスフィルタ１５は、取り出した当該中間周波信号をＡ／Ｄ変換器１６及び検波回路２３に出力する。
【００３１】
次に、受信検波部４３について説明する。この受信検波部４３は、ＤＳＰ１とは別に設けられており、送信回路４１からスイッチ１０を介して受信回路４２に入力され当該受信回路４２から出力される信号を検波し、当該信号のレベルを検出する。本実施の形態に係る受信検波部４３は、検波回路２３とレベル検出部２４とを備える。
【００３２】
検波回路２３は、受信回路４２のバンドパスフィルタ１５からの信号に基づいて直流電圧を生成し、当該直流電圧をレベル検出部２４に出力する。レベル検出部２４は、検波回路２３から出力された直流電圧から当該信号のレベルを検出し、そのレベルを判定部４４に出力する。
【００３３】
判定部４４は、ＤＳＰ１とは別に設けられており、レベル検出部２４での検出レベル、つまり、受信検波部４３での検出レベルと所定の基準値とを比較し、その比較結果（以下、「受信側比較結果」と呼ぶ）に基づいて異常を判定する。
【００３４】
周波数変更部５１は、折り返し試験が行われる際に起動され、送信局部発振器６からの送信局部発振信号、及び、受信局部発振器１３からの受信局部発振信号の少なくともいずれか一方の周波数を変更する。本実施の形態では、周波数変更部５１は、受信局部発振信号の周波数を変更するものとして説明するが、受信局部発振信号の周波数を変更する代わりに送信局部発振信号の周波数を変更してもよいし、受信局部発振信号及び送信局部発振信号の両方の周波数を変更してもよい。
【００３５】
次に、以上の構成からなる本実施の形態に係る通信装置の動作について説明する。なお、本実施の形態に係る通信装置が、通信相手装置とＴＤＭＡ方式の無線通信を行う際の動作は、対比対象通信装置と同様であるため、その動作の説明は省略する。
【００３６】
図３は、本実施の形態に係る通信装置において、折り返し試験を行う動作を示すフローチャートである。以下、本実施の形態に係る通信装置が折り返し試験を行う動作を、図３を用いて説明する。まず、ステップｓ１にて、アンテナスイッチ８と受信ＲＦ増幅器１１との間の接続が遮断され、かつ、減衰器１８と受信ＲＦ増幅器１１との間の遮断が接続されるように、スイッチ１０が切替えられる。ステップｓ２にて、送信回路４１の出力信号が受信回路４２内で使用可能な中間周波信号に変換されるように、周波数変更部５１は、受信局部発振器１３を制御して受信局部発振信号の周波数を変更する。本実施の形態では、周波数変更部５１は、送信局部発振器６の送信局部発振信号の周波数と、受信局部発振器１３の受信局部発振信号の周波数とが一致するように、受信局部発振信号の周波数を変更する。
【００３７】
ステップｓ３にて、受信検波部４３は、送信回路４１からスイッチ１０を介して受信回路４２に入力され当該受信回路４２から出力される信号を検波し、検波した信号のレベルを検出する。そして、判定部４４は、受信検波部４３での検出レベルと所定の基準値とを比較し、その比較結果たる受信側比較結果に基づいて異常を判定する。例えば、受信検波部４３での検出レベルが基準の範囲内にない場合には、判定部４４は、ステップｓ４に進み、送信回路４１及び受信回路４２の少なくとも一方が異常であると判定し、その旨を外部に通知する。一方、受信検波部４３での検出レベルが基準の範囲内にある場合には、判定部４４は、ステップｓ５に進み、送信回路４１及び受信回路４２が正常であると判定する。
【００３８】
ステップｓ５にて、周波数変更部５１は、送信局部発振信号の周波数と、受信局部発振信号の周波数とが互いに一致していた状態から、それら周波数が互いに近接する状態となるように、受信局部発振信号の周波数を少しだけ変更する。本実施の形態では、このステップ５にて、周波数変更部５１は、受信局部発振信号の周波数が送信局部発振信号の周波数から１チャネルだけずれるように、受信局部発振信号の周波数を変更する。
【００３９】
ステップｓ６にて、判定部４４は、送信回路４１からスイッチ１０を介して受信回路４２に入力され当該受信回路４２から出力される信号を検波し、当該信号のレベルを検出する。そして、判定部４４は、隣接チャネルの減衰量として、送信局部発振信号の周波数及び受信局部発振信号の周波数が互いに一致された際の受信検波部４３での検出レベルと、送信局部発振信号の周波数及び受信局部発振信号の周波数が互いに近接された際の受信検波部４３での受信レベルの比を求める。つまり、判定部４４は、隣接チャネルの減衰量として、ステップｓ３での検波レベルと、本ステップｓ６での検波レベルとの比を求める。そして、判定部４４は、当該減衰量と所定の基準値との比較結果に基づいてバンドパスフィルタ１５の異常を判定する。
【００４０】
例えば、バンドパスフィルタ１５の減衰特性が良好であり、減衰量が基準の範囲内にある場合には、判定部４４は、ステップｓ７に進み、バンドパスフィルタ１５が正常であると判定する。一方、バンドパスフィルタ１５の減衰特性が悪化し、減衰量が基準の範囲内にない場合には、判定部４４は、ステップｓ８に進み、バンドパスフィルタ１５が異常であると判定し、その旨を外部に通知する。
【００４１】
以上のような本実施の形態に係る通信装置によれば、折り返し試験の際に、ＤＳＰ１が信号を復調しなくても、判定部４４において異常を検出することができる。したがって、通信装置に設けられたＤＳＰ１の数が一つであっても、折り返し試験を行うことができる。よって、通信装置を小型化することができる。
【００４２】
また、本実施の形態に係る通信装置によれば、折り返し試験とほぼ同じ動作をすることにより、バンドパスフィルタ１５の異常についても検出することができる。
【００４３】
なお、本実施の形態では、変復調部がＤＳＰ１であるものとして説明したが、これに限ったものではなく、ＤＳＰ１以外の変調及び復調を同時に行うことができない装置を一つ用いる場合でも、同様の効果を得ることができる。また、本実施の形態では、送信部（送信回路４１）は、直交変調器３から送信ＲＦ増幅器７までの構成要素を備えるものとし、受信部（受信回路４２）は、受信ＲＦ増幅器１１からバンドパスフィルタ１５までの構成要素を備えるものとした。しかしこれに限ったものではなく、送信部にＤ／Ａ変換器２を含めてもよいし、受信部にＡ／Ｄ変換器１６を含めてもよい。この場合、受信検波部４３は、バンドパスフィルタ１５からの出力信号ではなく、Ａ／Ｄ変換器１６からの出力信号を検波するようにすればよい。
【００４４】
＜実施の形態２＞
図４は、本実施の形態に係る通信装置の構成を示すブロック図である。実施の形態１に係る通信装置では、折り返し試験において異常があった場合に、送信回路４１と受信回路４２のいずれに異常があるかを特定することができなかったが、本実施の形態に係る通信装置では、その特定が可能となっている。以下、このような本実施の形態に係る通信装置について説明する。なお、以下の本実施の形態に係る通信装置の説明において、実施の形態１に係る通信装置と共通する部分については同じ符号を付すものとし、重複する説明は省略する。
【００４５】
本実施の形態に係る通信装置においては、実施の形態１の通信装置に、検波回路２６とレベル検出部２７とを備える送信検波部４５が加わったものとなっている。検波回路２６は、送信回路４１からスイッチ１０に入力される信号に基づいて直流電圧を生成し、当該直流電圧をレベル検出部２７に出力する。レベル検出部２７は、検波回路２６から出力された直流電圧から当該信号のレベルを検出し、そのレベルを判定部４４に出力する。したがって、送信検波部４５は、送信回路４１からスイッチ１０に入力される信号を検波し、当該信号のレベルを検出する。
【００４６】
判定部４４は、レベル検出部２７での検出レベル、つまり、送信検波部４５での検出レベルと所定の基準値とを比較し、その比較結果（以下、「送信側比較結果」と呼ぶ）と、実施の形態１で説明された受信側比較結果とに基づいて送信回路４１及び受信回路４２のいずれに異常があるかを判定する。
【００４７】
次に、以上の構成からなる本実施の形態に係る通信装置の動作について説明する。なお、本実施の形態に係る通信装置が、通信相手装置とＴＤＭＡ方式の無線通信を行う際の動作は、対比対象通信装置と同様であるため、その動作の説明は省略する。
【００４８】
図５は、本実施の形態に係る通信装置において、折り返し試験を行う動作を示すフローチャートである。以下、本実施の形態に係る通信装置が折り返し試験を行う動作を、図５を用いて説明する。なお、図５に示されるフローチャートは、図３に示されるフローチャートにおいて、ステップｓ４をステップｓ１１〜ｓ１３に置き換えたものであり、それ以外において両者は互いに同一である。そこで、以下の説明では、ステップｓ１１〜ｓ１３についてのみ説明する。
【００４９】
ステップｓ３の受信側比較結果において、受信検波部４３での検出レベルが基準の範囲内にない場合、判定部４４は、ステップｓ１１に進み、送信検波部４５での検出レベルと所定の基準値とを比較し、その比較結果たる送信側比較結果に基づいて送信回路４１及び受信回路４２のいずれに異常があるかを判定する。例えば、送信検波部４５での検出レベルが基準の範囲内にある場合には、判定部４４は、ステップｓ１２に進み、受信回路４２が異常であると判定し、その旨を表示部に表示する。一方、送信検波部４５での検出レベルが基準の範囲内にない場合には、判定部４４は、ステップｓ１３に進み、送信回路４１が異常であると判定し、その旨を表示部に表示する。
【００５０】
図６に、本実施の形態に係る通信装置が図５に示されるフローチャートに沿って動作したときの動作結果をまとめた表を示す。
【００５１】
以上のような本実施の形態に係る通信装置によれば、送信回路４１及び受信回路４２のいずれに異常があるかを検出することができるため、例えば、通信装置を修理する際に、異常部位の特定が容易になる。
【００５２】
なお、図５に示されるフローは、送信回路４１及び受信回路４２の両方に異常がある場合に、ステップｓ１３にて送信回路４１の異常は検出されるが、同ステップｓ１３においては受信回路４２の異常が検出されないものとなっている。したがって、ステップｓ１３の動作が行われた場合には、判定部４４は、再度ステップｓ３を行って、受信回路４２に異常があるかを検出することが望ましい。
【符号の説明】
【００５３】
１  ＤＳＰ、５，１２  混合器、１０  スイッチ、１５  バンドパスフィルタ、４１  送信回路、４２  受信回路、４３  受信検波部、４４  判定部、４５  送信検波部、５１  周波数変更部。
【図１】
0005473746.tif 000002
【図２】
0005473746.tif 000003
【図３】
0005473746.tif 000004
【図４】
0005473746.tif 000005
【図５】
0005473746.tif 000006
【図６】
0005473746.tif 000007